(57)【特許請求の範囲】
【請求項１】
電話会社選択情報を用いてダイヤル発信することにより、選択した電話会社の電話回線に接続し、該接続された電話回線を介して相手先装置と通信を行う機能を有する情報処理装置において、
電話回線を介して、交換機側装置の電話会社選択情報データベースにアクセス可能な電話番号をダイヤル発信することにより、前記電話会社選択情報データベースに登録されているユーザの契約済電話会社選択情報を取得する電話会社選択情報取得手段と、
前記取得した電話会社選択情報と、自装置内に予め設定されているプロバイダ情報を用いて、契約しているインターネットプロバイダのアクセスポイントに対しダイヤル発信を行うためのダイヤル設定情報を、自装置内の記憶手段に設定するダイヤル情報設定部を備えると共に、
前記ダイヤル設定情報は、
契約しているユーザの電話会社選択状態、設定電話会社の情報を含む電話会社選択契約の情報と、
付加価値付き電話会社選択契約で設定されている電話会社以外の電話会社を使用する場合にダイヤルする電話会社選択情報の解除コードと、
電話会社を指定して電話するのに必要な電話会社の識別番号を含んでいることを特徴とする情報処理装置。
【請求項２】
コンピュータを、
電話回線を介して、交換機側装置の電話会社選択情報データベースにアクセス可能な電話番号をダイヤル発信することにより、前記電話会社選択情報データベースに登録されているユーザの契約済電話会社選択情報を取得する電話会社選択情報取得手段と、
前記取得した電話会社選択情報と、自装置内に予め設定されているプロバイダ情報を用いて、契約しているインターネットプロバイダのアクセスポイントに対しダイヤル発信を行うためのダイヤル設定情報として、契約しているユーザの電話会社選択状態、設定電話会社の情報を含む電話会社選択契約の情報と、付加価値付き電話会社選択契約で設定されている電話会社以外の電話会社を使用する場合にダイヤルする電話会社選択情報の解除コードと、電話会社を指定して電話するのに必要な電話会社の識別番号を含んでいる情報を、自装置内の記憶手段に設定するダイヤル情報設定部として機能させるためのプログラムを記録したコンピュータ読み取り可能な記録媒体。
【発明の詳細な説明】
【０００１】
【発明の属する技術分野】
本発明は、電話会社選択情報を用いてダイヤル発信することにより、選択した電話会社の電話回線に接続し、該接続された電話回線を介して相手先装置と通信を行う機能を有するパーソナルコンピュータ等の情報処理装置及び記録媒体に関する。
【０００２】
【従来の技術】
以下、従来例について説明する。
【０００３】
(1) ：サービスの概要
従来より、電話会社選択情報（又は回線経路選択情報）を用いた「マイライン」（登録商標）と呼ばれる電話会社選択サービスが実施されており、このサービスにより、市内、市外、県外（又は都道府県外）、海外の４つのエリア毎に使用する電話会社を選択できるシステムが運用されている。
【０００４】
そして、前記サービスの中で、「マイラインプラス」（付加価値を付けたマイラインの意味）という、使用する電話会社を固定にするサービスがある。以下、これらのサービスについて説明する。
【０００５】
(2) ：マイラインの説明
図１０は従来のマイラインによる電話回線切り換え説明図である。図１１は電話会社Ａ内の交換機側装置のデータベース例であり、▲１▼図はデータベース例１、▲２▼図はデータベース例２を示す。以下、図１０、図１１に基づいて、「マイライン」について説明する。
【０００６】
このサービスを実施する場合、電話会社Ａ（この例では、ＮＴＴ）内には、図１０に示したような交換機側装置（通常の電話交換機の他、マイライン実施に必要な制御部等を含む装置）が設置されており、この交換機側装置により、ユーザから受信したダイヤル情報に従って、予め登録されているデータベース（以下、単に「ＤＢ」とも記す）の情報を基に、契約した電話会社の電話回線へ自動的に接続切り換えを行うようになっている。
【０００７】
前記交換機側装置には、識別番号（電話会社を指定して電話するのに必要な電話番号であり、単に「ＩＤ」とも記す）の有無を判別する識別番号有無判別部１と、マイラインの自動切り換えを行うマイライン自動切り換え部２（ＩＤ不要）と、前記識別番号による自動切り換え部４（ＩＤが必要）と、ＤＢ５、ＤＢ６等が設けてある。そして、この例では、切り換え対象の電話会社は、電話会社Ａ（この例では、ＮＴＴ）、電話会社Ｂ、電話会社Ｃ、電話会社Ｄ、電話会社Ｅ、電話会社Ｆとする。
【０００８】
図１１の▲１▼図に示したように、ＤＢ５には、ユーザの電話番号、ユーザが契約（マイライン契約）した電話会社の情報、その他マイライン契約内容等が登録されている。例えば、電話番号＝０３−ＸＸＸＸは電話会社＝電話会社Ｄ、電話番号＝０６−ＸＸＸＸは電話会社＝電話会社Ｂ、電話番号＝ＸＸＸＸ−ＸＸＸＸは電話会社＝電話会社Ｃ・・・のように、各情報が登録されている。
【０００９】
また、図１１の▲２▼図に示したように、ＤＢ６には、識別番号と対応する電話会社の電話番号や、その他マイライン契約情報等が登録されている。マイラインによる切り換えは次のようにして行われる。
【００１０】
▲１▼：ユーザの電話機またはパソコンから、電話会社Ａ（例えば、ＮＴＴ）に対し電話番号のみを発信した場合、電話会社Ａの交換機側装置では、識別番号有無判別部１が、識別番号無しと判別するので、該識別番号判別部１は、受信したユーザの電話番号をマイライン自動切り換え部２へ送る。
【００１１】
マイライン自動切り換え部２は、受け取った電話番号を基にＤＢ５を検索し、ユーザの契約した電話会社の情報（電話番号等）を得る。そして、その電話会社の情報を用いて該当する電話会社の電話回線へ切り換える。このようにして、ユーザは予め契約しておいた電話会社の電話回線を介して、相手装置との通話ができることになる。
【００１２】
▲２▼：ユーザのパソコンから、ユーザの電話番号と、電話会社の識別番号を送信した場合、電話会社Ａ内装置では、識別番号有無判別部１が、識別番号有りと判別するので、該識別番号有無判別部１は、受信したユーザの電話番号と識別番号を識別番号による自動切り換え部４へ送る。
【００１３】
識別番号による自動切り換え部４では、受け取った情報を用いてＤＢ６を検索し、ユーザが指定した電話会社の電話番号を得る。そして、その電話会社の電話番号を用いて該当する電話会社の電話回線へ切り換える。このようにして、ユーザは指定した電話会社の電話回線を介して相手装置との通話又は他のデータ通信等ができることになる。
【００１４】
(3) ：マイラインプラスの説明
図１２は従来のマイラインプラスによる電話回線切り換え説明図である。以下、図１２に基づいて、従来のマイラインプラスのサービスについて説明する。
【００１５】
このサービスを実施する場合、電話会社Ａ内には、図１２に示したような交換機側装置（通常の電話交換機の他、マイライン、又はマイラインプラスの実施に必要な制御部等を含む装置）が設置されており、この交換機側装置により、ユーザが送信したダイヤル情報に従って、予め登録されているデータベースの情報を基に、契約した電話会社、又はユーザが指定した電話会社の電話回線へ自動的に接続切り換えを行うようになっている。
【００１６】
この場合、電話会社Ａ内の交換機側装置には、識別番号の有無を識別する識別番号有無判別部１と、マイライン解除コードの有無を判別するマイライン解除コード有無判別部８と、マイラインの自動切替を行うマイライン自動切替部２と、識別番号による自動切り換え部４と、ＤＢ５、６等が設けてある。そして、この例では、切り換え対象の電話会社は、電話会社Ａ、電話会社Ｂ、電話会社Ｃ、電話会社Ｄ、電話会社Ｅ、電話会社Ｆとする。
【００１７】
なお、この場合のＤＢ５、ＤＢ６のデータは、図１０に示した例と同じなので説明は省略する。マイラインプラスによる電話回線の切り換えは次のようにして行われる。
【００１８】
▲１▼：ユーザの電話機又はパソコンから、電話番号のみを発信した場合、電話会社Ａ内の交換機側装置では、識別番号有無判別部１が、識別番号無しと判別するので、該識別番号有無判別部１は、受信したユーザの電話番号をマイライン自動切り換え部２へ送る。
【００１９】
マイライン自動切り換え部２は、受け取った電話番号を基に、ＤＢ５を検索し、契約した電話会社の電話番号を得る。そして、その電話会社の電話番号を用いて該当する電話会社の電話回線へ切り換える。このようにして、ユーザは予め契約しておいた電話会社の電話回線を介して、相手装置との通話やデータ通信等ができることになる。
【００２０】
▲２▼：ユーザのパソコンから、ユーザの電話番号と、指定した電話会社の識別番号を送信した場合、電話会社Ａ内の交換機側装置では、識別番号有無判別部１が、識別番号有りと判別するので、該識別番号有無判別部１は、受信したユーザの電話番号と識別番号をマイライン解除コード有無判別部８へ送る。
【００２１】
マイライン解除コード有無判別部８では、この場合、マイライン解除コード無しと判別し、受信したユーザの電話番号をマイライン自動切り換え部２へ送る。マイライン自動切り換え部２は、受け取った電話番号を基に、ＤＢ５を検索し、ユーザの契約した電話会社の電話番号を得る。そして、その電話会社の電話番号を用いて該当する電話会社の電話回線へ切り換える。このようにして、ユーザは予め契約した電話会社の電話回線を介して、相手装置との通話ができることになる。
【００２２】
▲３▼：ユーザのパソコンから、マイライン解除コード（１２２）と、ユーザの電話番号と、指定した電話会社の識別番号を送信した場合、電話会社Ａ内の交換機側装置では、識別番号有無判別部１が、識別番号有りと判別するので、該識別番号有無判別部１は、受信したユーザの電話番号と識別番号をマイライン解除コード有無判別部８へ送る。
【００２３】
マイライン解除コード有無判別部８では、この場合、マイライン解除コード有りと判別し、受信したユーザのマイライン解除コード（１２２）と、ユーザの電話番号と、電話会社の識別番号を識別番号による自動切り換え部４へ送る。
【００２４】
識別番号による自動切り換え部４では、受け取った情報を用いてＤＢ６を検索し、ユーザが指定した電話会社の電話番号を得る。そして、その電話会社の電話番号を用いて該当する電話会社の電話回線へ切り換える。このようにして、ユーザは指定した電話会社の電話回線を介して相手装置との通話又は他のデータ通信等ができることになる。
【００２５】
なお、前記「マイライン解除コード」は、マイラインプラス契約で設定されている電話会社以外の電話会社を使用する場合にダイヤルする数字（現在は「１２２」が使用されている）のことである。また、識別番号は、「電話会社を指定して電話するのに必要な電話番号」のことである。前記の電話番号と組み合わせると、「マイライン解除コード（１２２）＋識別番号＋相手先の電話番号」をダイヤルしないと、マイラインプラスのサービスは受けられない。
【００２６】
(4) ：マイラインプラスによる具体的な切り換え例
図１３は、マイラインプラスによる具体的な切り換え例である。以下、図１３に基づいて、マイラインプラスによる具体的な切り換え例を説明する。
【００２７】
マイラインプラスで契約している場合、契約した電話会社には、識別番号無しで繋がるが、契約していない電話会社に繋げるには、マイライン解除コード（１２２）＋識別番号（電話会社毎に設定されている）を、予めダイヤルしておく必要がある。
【００２８】
具体例として、マイラインプラス契約の電話会社に電話会社Ｂ、インターネットプロバイダに電話会社Ｃを契約している場合、図１３の例のようになる。
【００２９】
▲１▼：例えば、ユーザのパソコンから、電話番号のみを発信した場合、電話会社Ａ内の交換機側装置では、識別番号有無判別部１が、識別番号無しと判別するので、該識別番号有無判別部１は、受信したユーザの電話番号をマイライン自動切り換え部２へ送る。
【００３０】
マイライン自動切り換え部２は、受け取った電話番号を基に、ＤＢ５を検索し、契約した電話会社Ｂの電話番号を得る。そして、その電話会社Ｂの電話番号を用いて該当する電話会社の電話回線へ切り換える。このようにして、ユーザは契約した電話会社Ｂの電話回線を介して、相手装置との通話ができることになる。
【００３１】
▲２▼：ユーザのパソコンから、ユーザの電話番号と、指定した電話会社Ｃ（電話会社Ｂ以外でインターネットプロバイダと契約した電話会社）の識別番号を送信した場合、電話会社Ａ内の交換機側装置では、識別番号有無判別部１が、識別番号有りと判別するので、該識別番号有無判別部１は、受信したユーザの電話番号と識別番号をマイライン解除コード有無判別部８へ送る。マイライン解除コード有無判別部８では、この場合、マイライン解除コード無しと判別し、受信したユーザの電話番号をマイライン自動切り換え部２へ送る。  マイライン自動切り換え部２は、受け取った電話番号を基に、ＤＢ５を検索し、契約済の電話会社Ｂの電話番号を得る。そして、その電話会社Ｂの電話番号を用いて該当する電話会社Ｂの電話回線へ切り換える。このようにして、ユーザは予め契約しておいた電話会社Ｂの電話回線を介して、相手装置との通信ができることになる。この場合、マイライン解除コードがないため、電話会社Ｃの電話回線には繋がらない。
【００３２】
▲３▼：ユーザのパソコンから、マイライン解除コード（１２２）と、ユーザの電話番号と、電話会社Ｃ（電話会社Ｂ以外の電話会社の中からインターネットプロバイダと契約した電話会社）の識別番号を送信した場合、電話会社Ａ内の交換機側装置では、識別番号有無判別部１が、識別番号有りと判別するので、該識別番号有無判別部１は、受信したユーザの電話番号と識別番号をマイライン解除コード有無判別部８へ送る。
【００３３】
マイライン解除コード有無判別部８では、この場合、マイライン解除コード有りと判別し、受信したユーザのマイライン解除コード（１２２）と、ユーザの電話番号と、電話会社Ｃの識別番号を識別番号による自動切り換え部４へ送る。
【００３４】
識別番号による自動切り換え部４では、受け取った情報を用いてＤＢ６を検索し、ユーザが指定した電話会社Ｃの電話番号を得る。そして、その電話会社Ｃの電話番号を用いて該当する電話会社の電話回線へ切り換える。このようにして、ユーザは指定した電話会社Ｃの電話回線を介して相手装置との通信（インターネットアクセス）ができることになる。この場合、マイライン解除コードが有るため、電話会社Ｃの電話回線に繋がる。
【００３５】
【発明が解決しようとする課題】
前記のような従来のものにおいては、次のような課題があった。
【００３６】
図１３に示した例の場合（マイラインプラス契約で設定されている電話会社以外の電話会社を指定してダイヤル発信した場合）、マイライン解除コード、識別番号をダイヤルしないと、インターネットプロバイダに繋げることはできず、ユーザがこの内容を知らないで使用すると、接続できない状況になる。すなわち、前記プロバイダは電話会社Ｃの電話会社にあるため、電話会社Ｃの電話回線を利用する必要がある。
【００３７】
このように、インターネットを利用するには、パソコンのダイヤル情報設定に、マイライン解除コード（１２２）と、プロバイダと契約した電話会社の識別番号をダイヤルするように設定する必要があり、ユーザのスキル不足による設定ミスなどの問題が発生する。
【００３８】
本発明は、このような従来の課題を解決し、ユーザがマイライン契約内容を気にすることなく、簡単にインターネットが利用できるようにすることを目的とする。
【００３９】
【課題を解決するための手段】
本発明は前記の目的を達成するため、次のように構成した。
【００４０】
(1) ：電話会社選択情報を用いてダイヤル発信することにより、選択した電話会社の電話回線に接続し、該接続された電話回線を介して相手先装置と通信を行う機能を有する情報処理装置において、電話回線を介して、交換機側装置の電話会社選択情報データベース（マイライン情報データベース）にアクセス可能な電話番号をダイヤル発信することにより、前記電話会社選択情報データベースに登録されているユーザの契約済電話会社選択情報を取得する電話会社選択情報取得手段（マイライン情報取得手段）と、前記取得した電話会社選択情報と、自装置内に予め設定されているプロバイダ情報を用いて、契約しているインターネットプロバイダのアクセスポイントに対しダイヤル発信を行うためのダイヤル設定情報を、自装置内の記憶手段に設定するダイヤル情報設定部を備えると共に、前記ダイヤル設定情報は、契約しているユーザの電話会社選択状態、設定電話会社の情報を含む電話会社選択契約の情報と、付加価値付き電話会社選択契約で設定されている電話会社以外の電話会社を使用する場合にダイヤルする電話会社選択情報の解除コードと、電話会社を指定して電話するのに必要な電話会社の識別番号を含んでいることを特徴とする。
【００４１】
(2) ：コンピュータを、電話回線を介して、交換機側装置の電話会社選択情報データベースにアクセス可能な電話番号をダイヤル発信することにより、前記電話会社選択情報データベースに登録されているユーザの契約済電話会社選択情報を取得する電話会社選択情報取得手段と、前記取得した電話会社選択情報と、自装置内に予め設定されているプロバイダ情報を用いて、契約しているインターネットプロバイダのアクセスポイントに対しダイヤル発信を行うためのダイヤル設定情報として、契約しているユーザの電話会社選択状態、設定電話会社の情報を含む電話会社選択契約の情報と、付加価値付き電話会社選択契約で設定されている電話会社以外の電話会社を使用する場合にダイヤルする電話会社選択情報の解除コードと、電話会社を指定して電話するのに必要な電話会社の識別番号を含んでいる情報を、自装置内の記憶手段に設定するダイヤル情報設定部として機能させるためのプログラムを記録したコンピュータ読み取り可能な記録媒体。
【００４３】
（作用）
前記構成に基づく本発明の作用を、図１に基づいて説明する。
【００４４】
(a) ：前記(1) 、(2) の作用
電話会社選択情報取得手段（マイライン情報取得ダイヤル発信部１２を含む手段）は、電話回線を介して、交換機側装置の電話会社選択情報データベース（マイライン情報データベース２５）にアクセス可能な電話番号をダイヤル発信することにより、前記電話会社選択情報データベースに登録されているユーザの契約済電話会社選択情報（契約済マイライン情報）を取得する。
【００４５】
そして、ダイヤル情報設定部は、前記取得した電話会社選択情報と、自装置内に予め設定されているプロバイダ情報（プロバイダ情報格納部１１の情報）を用いて、契約しているインターネットプロバイダのアクセスポイントに対しダイヤル発信を行うためのダイヤル設定情報を、自装置内の記憶手段（例えば、データベース１７）に設定する。
【００４６】
このようにすれば、その後、ユーザがインターネットへダイヤルする場合には、インターネットアクセス制御部１６を起動すると、該インターネットアクセス制御部１６は、データベース１７から前記設定されたダイヤル設定情報を読み出し、メモリ１８に格納すると共に、相手の電話番号（ユーザＵが予め入力した情報）もメモリ１８に追加し、その情報を基にインターネットへダイヤルする（相手先へ電話をかける）。この場合、「マイライン解除コード」＋「電話会社の識別番号」＋「相手先の電話番号」の情報を発信する。
【００４７】
この時、電話会社Ａの交換機側装置では、前記マイコンからのダイヤル情報を受信すると、電話回線自動切り換え部２７により電話回線の自動切り換えを行う。従って、ユーザがマイライン契約内容を気にすることなく、簡単にインターネットが利用できる。
【００４８】
また、前記ダイヤル設定情報は、契約しているユーザの電話会社選択状態（マイライン状態）、設定電話会社の情報（マイライン設定電話会社の状態）を含む電話会社選択契約の情報（マイライン契約内容）と、付加価値付き電話会社選択契約（マイラインプラス契約）で設定されている電話会社以外の電話会社を使用する場合にダイヤルする電話会社選択情報の解除コード（マイライン解除コード）と、電話会社を指定して電話するのに必要な電話会社の識別番号を含んでいる。
【００４９】
このような情報を記憶手段に設定しておけば、ユーザがマイライン契約内容を気にすることなく、簡単にインターネットが利用できる。
【００５０】
【発明の実施の形態】
以下、本発明の実施の形態を図面に基づいて詳細に説明する。
【００５１】
§１：ユーザ側装置の説明
図２はユーザ側装置のブロック図である。この例は、ユーザ側装置をパーソナルコンピュータ（以下、単に「パソコン」とも記す）により構成した例である。このパソコンには、契約しているインターネットプロバイダの情報（この情報を「プロバイダ情報」と記す）を格納したプロバイダ情報格納部１１と、マイライン情報を取得するためのダイヤル発信を行うマイライン情報取得ダイヤル発信部１２と、交換機側装置から送られた情報を受信する受信部１３と、書き込み可能なＲＡＭ等で構成されたメモリ１８と、ダイヤル情報等をデータベース１７に設定するダイヤル情報設定部１４と、インターネットアクセスを制御するインターネットアクセス制御部１６と、マイライン情報とプロバイダ情報を基にしたダイヤル設定情報等を格納するデータベース１７等を備えている。
【００５２】
この場合、前記マイライン情報取得ダイヤル発信部１２と、受信部１３と、ダイヤル情報設定部１４と、インターネットアクセス制御部１６等はプログラムにより構成されている。そして、前記マイライン情報取得ダイヤル発信部１２には、交換機側装置のマイライン情報データベースにアクセスできる電話番号（予め決めた電話番号）のダイヤル情報を保持している。
【００５３】
なお、前記パーソナルコンピュータには、前記各部の他に、通常のパーソナルコンピュータとしての機能を実現するための各種の手段等（ＣＰＵ、プログラムを格納するためのハードディスク装置等の記憶装置、他のメモリ等の記憶手段、入出力装置、インタフェース部等）が設けてあるが図示省略してある。
【００５４】
§２：交換機側装置の説明
図３は交換機側装置のブロック図である。この交換機側装置は、通常の電話交換機の他、マイライン実施に必要な制御部等を含む装置であり、各種通信回線や交換機等を有する特定の電話会社（この例では、ＮＴＴ）内の装置である。この交換機側装置には図３に示した構成を含んでいる。
【００５５】
図示のように、交換機側装置には、ユーザ側装置から発信されたダイヤル情報等を受信するための受信部２１と、マイライン情報の内容を判別（マイライン情報取得ダイヤルか否かの判別や、ユーザの電話番号等の判別）するためのダイヤル情報判別部２２と、ユーザ装置に対して情報を送信するためのデータ送信部２３と、マイライン情報を格納したマイライン情報データベース２５と、該マイライン情報データベース２５の情報を管理する（情報の新規登録、削除、検索等を行う）データベース管理部２４と、電話回線自動切り換え部２７（図１２に示した各部に相当する手段）等を備えている。
【００５６】
この例の場合、前記マイライン情報データベース２５には、例えば、ユーザＵの契約済マイライン情報として、マイライン契約内容（Ｕさんの電話番号より）、マイライン情報：プラス、マイライン設定電話会社（例えば、電話会社Ｙ）等の情報が格納されているものとする。
【００５７】
§３：マイライン情報データベースの説明
図４はマイライン情報データベース例である。電話会社Ａ内の交換機側装置には、マイライン情報データベース２５が設けてあり、このマイライン情報データベース２５に、マイライン情報が格納されている。そして、前記マイライン情報データベース２５には、Ｎｏ（登録順番）と、ユーザの電話番号と、マイライン又はマイラインプラスの情報と、マイライン設定電話会社（マイライン契約に基づき設定された電話会社）等の情報が格納されている。
【００５８】
例えば、Ｎｏ．１では、ユーザの電話番号＝０４２−ＸＸＸ−ＸＸＸＸ、マイライン又はマイラインプラスの情報＝マイラインプラス、マイライン契約電話会社の情報＝電話会社Ｂとなっている。Ｎｏ．２では、ユーザの電話番号＝０３−ＸＸＸＸ−ＸＸＸＸ、マイライン又はマイラインプラスの情報＝マイライン、マイライン契約電話会社の情報＝電話会社Ｃとなっている。
【００５９】
Ｎｏ．３では、ユーザの電話番号＝０４５−ＸＸＸ−ＸＸＸＸ、マイライン又はマイラインプラスの情報＝マイラインプラス、マイライン契約電話会社の情報＝電話会社Ｙとなっている。
【００６０】
§４：マイライン情報取得時の説明
図５はマイライン情報取得時の説明図である。以下、図５に基づいてマイライン情報取得時の動作を説明する。マイライン情報取得時には、次の順序で動作が行われる。
【００６１】
▲１▼：ユーザのパソコンでは、マイライン情報取得ダイヤル発信部１２が、電話会社Ａ（例えば、ＮＴＴ）の交換機側装置に設けたマイライン情報データベースにアクセス可能な電話番号（予め決められた電話番号）をダイヤル発信する。この場合、発信するダイヤル情報（電話番号等）は、マイライン情報取得ダイヤル発信部１２を構成するプログラムに予め設定してあるので、その情報を用いてダイヤル発信する。
【００６２】
▲２▼：電話会社Ａの交換機側装置では、受信部２１が前記パソコンからのダイヤル情報を受信し、ダイヤル情報判別部２２がそのダイヤル情報を判別する。この時、データベース管理部２４は、ダイヤル情報判別部２２で判別された電話番号（かかってきたユーザＵの電話番号）より、マイライン情報データベース２５から、該当するユーザのマイライン情報（例えば、ユーザＵのマイライン情報）を検索する。そして、データ送信部２３が、検索結果のマイライン情報を、ユーザのパソコンへ送信する。この場合、ユーザＵのマイライン情報は、マイライン状態：マイラインプラス、マイライン設定電話会社：電話会社Ｙ等である。
【００６３】
▲３▼：ユーザのパソコンでは、受信部１３が前記交換機側装置から送信されたマイライン情報を受信し、ダイヤル情報設定部１４が受信したマイライン情報をデータベース１７に格納する。
【００６４】
この時、ダイヤル情報設定部１４は、プロバイダ情報格納部１１に格納されているプロバイダ情報（インターネット契約プロバイダの電話会社の情報を含む）を読み出し、前記受信したマイライン情報と比較することにより、インターネット契約プロバイダの電話会社（Ｘ社とする）と、データベース１７に格納したマイライン情報に含まれるマイライン契約電話会社（Ｙ社とする）が同じか否かを判断する。
【００６５】
その結果、両者が同じならば、Ｘ社の識別番号（例えば、４桁）とマイライン解除コード（例えば、１２２）が、既にデータベース１７に格納されていれば、削除する（重複した情報の一方を削除して１つにする）。また、両者が異なっていたら、Ｘ社の識別番号をデータベース１７に追加する。
【００６６】
次に、ダイヤル情報設定部１４は、受信したマイライン情報を基に、マイラインプラスか否かを判断し、マイラインプラスでなければ、データベース１７の情報はそのままとし、マイラインプラスであれば、マイライン解除コード（１２２）をデータベース１７に追加する。このようにして、データベース１７に、ユーザＵのマイライン情報とプロバイダ情報を基にしたダイヤル設定情報が格納され、管理された状態となる。
【００６７】
▲４▼：その後、インターネットへダイヤルする場合には、インターネットアクセス制御部１６を起動すると、該インターネットアクセス制御部１６は、データベース１７から前記設定されたダイヤル設定情報を読み出し、メモリ１８に格納すると共に、相手の電話番号（ユーザＵが予め入力し、いずれかの記憶手段に保持されている情報）もメモリ１８に追加し、その情報を基にインターネットへダイヤルする（相手先へ電話をかける）。この場合、「マイライン解除コード」＋「電話会社の識別番号」＋「相手先の電話番号」の情報を発信する。
【００６８】
▲５▼：電話会社Ａの交換機側装置では、前記マイコンからのダイヤル情報を受信すると、電話回線自動切り換え部２７により電話回線の自動切り換えを行う。なお、電話回線自動切り換え部２７は、図１２に示した交換機側装置の機能（従来のマイラインプラスによる自動切り換え機能と同じ）が含まれている。
【００６９】
§５：ユーザ側装置におけるダイヤル情報設定時の処理の説明
(1) ：ダイヤル情報設定時の処理
図６はユーザ側装置のダイヤル情報設定時の処理フローチャートである。以下、図６に基づいて、ダイヤル情報設定時の処理を説明する。なお、Ｓ１〜Ｓ８は処理ステップを示す。また、この例では、マイラインプラス契約の電話会社が電話会社Ｙとし、インターネットプロバイダに電話会社Ｘを契約しているとする。
【００７０】
ユーザのパソコンでは、マイライン情報取得ダイヤル発信部１２が、電話会社Ａ（例えば、ＮＴＴ）の交換機側装置に設けたマイライン情報データベースにアクセス可能な電話番号（予め決めた電話番号）をダイヤル発信し、マイライン情報データベースの情報要求を送信（ダイヤル発信）する（Ｓ１）。
【００７１】
次に、電話会社Ａの交換機側装置から受信したマイライン情報（マイライン情報データベースの検索結果）をパソコンに取り込む（Ｓ２）。この場合、ユーザのパソコンでは、受信部１３が前記交換機側装置から送信されたマイライン情報を受信し、ダイヤル情報設定部１４が受信したマイライン情報をデータベース１７に格納する。
【００７２】
そして、ダイヤル情報設定部１４は、プロバイダ情報格納部１１に格納されているプロバイダ情報（インターネット契約プロバイダの電話会社の情報を含む）を読み出し、前記受信したマイライン情報と比較することにより、インターネット契約プロバイダの電話会社（Ｘ社とする）と、データベース１７に格納したマイライン情報に含まれるマイライン契約電話会社（Ｙ社とする）が同じか否かを判断する（Ｓ３）。
【００７３】
その結果、両者が同じならば、Ｘ社の識別番号（例えば、４桁）とマイライン解除コード（例えば、１２２）が、データベース１７に格納されていれば、削除する（重複した情報の一方を削除して１つにする）。これにより設定終了とする。以降、データベース１７に、ダイヤル設定情報が保存され管理される（Ｓ６）。また、Ｓ３の処理において、両者が異なっていたら、Ｘ社の識別番号を、パソコンのデータベース１７に追加する（Ｓ４）。
【００７４】
次に、ダイヤル情報設定部１４は、受信したマイライン情報を基に、マイラインプラスか否か（ユーザＵがマイラインプラスに契約していたか否か）を判断し（Ｓ５）、マイラインプラスでなければ、Ｓ６の処理へ移行し（データベース１７の情報はそのままとし）、マイラインプラスであれば、マイライン解除コード（１２２）をデータベース１７に追加し（Ｓ８）、Ｓ６の処理へ移行する。
【００７５】
このようにして、データベース１７に、ユーザＵのマイライン情報とプロバイダ情報を基にしたダイヤル設定情報が格納され、管理された状態となる。
【００７６】
(2) ：送信時のユーザ側装置の処理
図７はユーザ側装置の送信時の処理フローチャートである。以下、図７に基づいて、ユーザ側装置の送信時の処理を説明する。なお、Ｓ１１〜Ｓ１６は各処理ステップを示す。また、この処理は、前記図６に示した処理終了後に行う処理である。
【００７７】
先ず、ユーザのパソコンのインターネットアクセス制御部１６は、データベース１７の設定情報を基に、マイライン解除コードは有るかを判断し（Ｓ１１）、有れば、マイライン解除コードをメモリ１８に追加する（Ｓ１２）。次に、電話会社Ｘの識別番号はあるかを判断し（Ｓ１３）、有れば、電話会社Ｘの識別番号をメモリ１８に追加する（Ｓ１４）。
【００７８】
次に、ユーザＵが予め入力した情報を基に、相手の電話番号をメモリ１８に追加する（Ｓ１５）。その後、インターネットアクセス制御部１６は、メモリ１８のダイヤル情報を用いて電話をかける（インターネットへダイヤル）（Ｓ１６）。
【００７９】
また、前記Ｓ１１の処理において、マイライン解除コードがなければ、Ｓ１２の処理を行うことなく、Ｓ１３の処理へ移行する。また、Ｓ１３の処理において、電話会社Ｘの識別番号がなければ、Ｓ１４の処理を行うことなく、Ｓ１５の処理へ移行する。以上のようにして、送信時の処理を行う。
【００８０】
§６：交換機側の処理の説明
図８は交換機側装置の処理フローチャートである。以下、図８に基づいて、交換機側の処理を説明する。なお、Ｓ３１〜Ｓ４１は各処理ステップを示す。
【００８１】
電話会社Ａの交換機側装置では、受信部２１がユーザ側装置（パソコン）からのダイヤル（ダイヤル情報）を受信すると（Ｓ３１）、ダイヤル情報判別部２２が、受信したダイヤル情報からユーザ側のパソコンの電話番号を取得する（Ｓ３２）。そして、前記ダイヤルが、マイライン情報取得用のダイヤルかを判断し（Ｓ３３）、マイライン情報取得用のダイヤルであると判断した場合には、データベース管理部２４がマイライン情報データベース２５を検索し、該当するユーザ（この例ではユーザＵ）のマイライン情報を取り出す（Ｓ３８）。次に、データ送信部２３は、前記取り出したマイライン情報（ユーザＵのマイライン情報）をユーザのパソコンへ送信し（Ｓ３９）、この処理を終了する。
【００８２】
また、前記Ｓ３３の処理において、ダイヤル情報判別部２２が、マイライン情報取得用のダイヤルでないと判断した場合には、電話回線自動切り換え部２７により、通常の回線接続（従来例と同じ）を行う。そして、電話回線自動切り換え部２７は、マイライン解除コード（１２２）があるかを判断し（Ｓ３５）、有れば、電話会社を識別するダイヤルを調査して対象の電話会社を特定し（Ｓ４０）、該当の電話会社に繋げる（Ｓ４１）。
【００８３】
また、前記Ｓ３５の処理において、マイライン解除コード（１２２）がなければ、マイラインプラスか否かを判断し（Ｓ３６）、マイラインプラスでなければＳ４０の処理へ移行し、マイラインプラスであれば、契約の電話会社に繋げる電話会社が電話会社Ａ（ＮＴＴ）の場合は、そのまま電話番号の相手に繋げる（Ｓ３７）。
【００８４】
§７：具体的な装置例とプログラム、及び該プログラムを記録した記録媒体の説明
図９は具体的な装置例である。前記ユーザ側のパソコンは、コンピュータ本体３１と、該コンピュータ本体３１に接続されたディスプレイ装置３２、入力装置（キーボード／マウス等）３３、リムーバブルディスクドライブ（「ＲＤＤ」という）３４、ハードディスク装置（「ＨＤＤ」という）３５等で構成されている。
【００８５】
そして、コンピュータ本体３１には、内部の各種制御や処理を行うＣＰＵ３７と、プログラムや各種データを格納しておくためのＲＯＭ３８（不揮発性メモリ）と、ＲＡＭ等の書き込み可能なメモリ３９と、インタフェース制御部（「Ｉ／Ｆ制御部」という）４０と、通信制御部４１等が設けてある。なお、前記リムーバブルディスクドライブ（ＲＤＤ）３４には、フレキシブルディスクドライブや光ディスクドライブ等が含まれる。
【００８６】
前記構成の装置において、例えば、ハードディスク装置（ＨＤＤ）３５の磁気ディスク（記録媒体）に、前記パソコンの処理（マイライン情報取得ダイヤル発信部１２、受信部１３、ダイヤル情報設定部１４、インターネットアクセス制御部１６等の処理）を実現するためのプログラムを格納しておき、このプログラムをＣＰＵ３７が読み出して実行することにより、前記パソコンが行う処理を実行する。
【００８７】
しかし、本発明は、このような例に限らず、例えば、ハードディスク装置（ＨＤＤ）３５の磁気ディスクに、次のようにしてプログラムを格納し、このプログラムをＣＰＵ３７が実行することで前記処理を行うことも可能である。
【００８８】
▲１▼：他の装置で作成されたリムーバブルディスクに格納されているプログラム（他の装置で作成したプログラムデータ）を、リムーバブルディスクドライブ３４により読み取り、ハードディスク装置３５の記録媒体に格納する。
【００８９】
▲２▼：通信回線を介して他の装置から伝送されたプログラム等のデータを、通信制御部４１を介して受信し、そのデータをハードディスク装置３５の記録媒体に格納する。
【００９０】
以上の説明に対し、次の構成を付記する。
【００９１】
（付記１）
電話会社選択情報を用いてダイヤル発信することにより、選択した電話会社の電話回線に接続し、該接続された電話回線を介して相手先装置と通信を行う機能を有する情報処理装置において、
電話回線を介して、交換機側装置の電話会社選択情報データベースにアクセス可能な電話番号をダイヤル発信することにより、前記電話会社選択情報データベースに登録されているユーザの契約済電話会社選択情報を取得する電話会社選択情報取得手段と、
前記取得した電話会社選択情報と、自装置内に予め設定されているプロバイダ情報を用いて、契約しているインターネットプロバイダのアクセスポイントに対しダイヤル発信を行うためのダイヤル設定情報を、自装置内の記憶手段に設定するダイヤル情報設定部と、
を備えていることを特徴とする情報処理装置。
【００９２】
（付記２）
前記ダイヤル設定情報は、
契約しているユーザの電話会社選択状態、設定電話会社の情報を含む電話会社選択契約の情報と、
付加価値付き電話会社選択契約で設定されている電話会社以外の電話会社を使用する場合にダイヤルする電話会社選択情報の解除コードと、
電話会社を指定して電話するのに必要な電話会社の識別番号を含んでいることを特徴とする請求項１記載の情報処理装置。
【００９３】
（付記３）
コンピュータに、
電話回線を介して、交換機側装置の電話会社選択情報データベースにアクセス可能な電話番号をダイヤル発信することにより、前記電話会社選択情報データベースに登録されているユーザの契約済電話会社選択情報を取得する電話会社選択情報取得手段と、
前記取得した電話会社選択情報と、自装置内に予め設定されているプロバイダ情報を用いて、契約しているインターネットプロバイダのアクセスポイントに対しダイヤル発信を行うためのダイヤル設定情報を、自装置内の記憶手段に設定するダイヤル情報設定部の機能を実現するためのプログラムを記録したコンピュータ読み取り可能な記録媒体。
【００９４】
（付記４）
コンピュータに、
電話回線を介して、交換機側装置の電話会社選択情報データベースにアクセス可能な電話番号をダイヤル発信することにより、前記電話会社選択情報データベースに登録されているユーザの契約済電話会社選択情報を取得する電話会社選択情報取得手段と、
前記取得した電話会社選択情報と、自装置内に予め設定されているプロバイダ情報を用いて、契約しているインターネットプロバイダのアクセスポイントに対しダイヤル発信を行うためのダイヤル設定情報を、自装置内の記憶手段に設定するダイヤル情報設定部の機能を実現するためのプログラム。
【００９５】
【発明の効果】
以上説明したように、本発明によれば次のような効果がある。
【００９６】
(1) ：請求項１、２では、電話会社選択情報取得手段は、電話回線を介して、交換機側装置の電話会社選択情報データベースにアクセス可能な電話番号をダイヤル発信することにより、前記電話会社選択情報データベースに登録されているユーザの契約済電話会社選択情報を取得する。
【００９７】
そして、ダイヤル情報設定部は、前記取得した電話会社選択情報と、自装置内に予め設定されているプロバイダ情報を用いて、契約しているインターネットプロバイダのアクセスポイントに対しダイヤル発信を行うためのダイヤル設定情報を、自装置内の記憶手段に設定する。
【００９８】
このようにすれば、その後、ユーザがインターネットへダイヤルする場合には、インターネットアクセス制御部が、記憶手段から前記設定されたダイヤル設定情報を読み出し、メモリに格納すると共に、相手の電話番号（ユーザＵが予め入力した情報）もメモリに追加し、その情報を基に、自動的にインターネットへダイヤルする（相手先へ電話をかける）ことができる。
【００９９】
このように、インターネットアクセスに必要な情報を自動的に設定し、かつ、自動的に発信することができるので、ユーザがマイライン契約内容を気にすることなく、簡単にインターネットが利用できる。特に、電話会社選択情報の解除コードも自動的に設定できるので、忘れずにダイヤル発信でき、簡単にインターネットが利用できる。
【０１００】
(2) ：また、ダイヤル設定情報は、契約しているユーザの電話会社選択状態、設定電話会社の情報を含む電話会社選択契約の情報と、付加価値付き電話会社選択契約で設定されている電話会社以外の電話会社を使用する場合にダイヤルする電話会社選択情報の解除コードと、電話会社を指定して電話するのに必要な電話会社の識別番号を含んでいる。
【０１０１】
このような情報を自動的に記憶手段に設定しておけば、ユーザがマイライン契約内容を気にすることなく、簡単にインターネットが利用できる。
【図面の簡単な説明】
【図１】本発明の原理説明図である。
【図２】本発明の実施の形態におけるユーザ側装置のブロック図である。
【図３】本発明の実施の形態における交換機側装置のブロック図である。
【図４】本発明の実施の形態におけるマイライン情報データベース例である。
【図５】本発明の実施の形態におけるマイライン情報取得時の説明図である。
【図６】本発明の実施の形態におけるユーザ側装置のダイヤル情報設定時の処理フローチャートである。
【図７】本発明の実施の形態におけるユーザ側装置の送信時の処理フローチャートである。
【図８】本発明の実施の形態における交換機側装置の処理フローチャートである。
【図９】本発明の実施の形態における具体的な装置例である。
【図１０】従来のマイラインによる電話回線切り換え説明図である。
【図１１】交換機側装置のデータベース例であり、▲１▼図はデータベース例１、▲２▼図はデータベース例２である。
【図１２】従来のマイラインプラスによる電話回線切り換え説明図である。
【図１３】従来のマイラインプラスによる具体的な切り換え例である。
【符号の説明】
１  識別番号有無判別部
２  マイライン自動切り換え部
３  電話会社Ａの回線
４  識別番号による自動切り換え部
５、６、１７  データベース（ＤＢ）
８  マイライン解除コード有無判別部
１１  プロバイダ情報格納部
１２  マイライン情報取得ダイヤル発信部
１３  受信部
１４  ダイヤル情報設定部
２４  データベース管理部
１６  インターネットアクセス制御部
２１  データ受信部
２２  ダイヤル情報判別部
２３  データ送信部
２５  マイライン情報データベース
２７  電話回線自動切り換え部
３１  コンピュータ本体
３２  ディスプレイ装置
３３  入力装置（キーボード／マウス等）
３４  リムーバブルディスクドライブ（ＲＤＤ）
３５  ハードディスク装置（ＨＤＤ）
３７  ＣＰＵ（中央演算処理装置）
３８  ＲＯＭ（リード・オンリ・メモリ）
３９  メモリ（ＲＡＭ等）
４０  インタフェース制御部（Ｉ／Ｆ制御部）
４１  通信制御部
【図１】
0003889638.tif 000002
【図２】
0003889638.tif 000003
【図３】
0003889638.tif 000004
【図４】
0003889638.tif 000005
【図５】
0003889638.tif 000006
【図６】
0003889638.tif 000007
【図７】
0003889638.tif 000008
【図８】
0003889638.tif 000009
【図９】
0003889638.tif 000010
【図１０】
0003889638.tif 000011
【図１１】
0003889638.tif 000012
【図１２】
0003889638.tif 000013
【図１３】
0003889638.tif 000014